(57)【特許請求の範囲】
【請求項１】
所定角度の火力調節範囲内で回動される火力調節用の回動操作軸を備え、該回動操作軸と共に回動する点火用カムの外周面に形成したカム面により該回動操作軸の火力調節範囲内の途中位置に設定した点火位置で点火用スイッチを回動操作軸の軸線に対して直角方向に押して作動させると共に、回動操作軸に対する操作力を点火位置で解除すると回動操作軸が所定角度自動的に戻る火力調節装置において、点火用カムを、点火用スイッチを作動させる作動位置と点火用スイッチを作動させない退避位置との間で移動自在に設けると共に点火用カムを退避位置に向かう方向に付勢する付勢手段を備え、回動操作軸が火力調節弁の閉位置から点火位置に回動する間点火用カムに係合し付勢手段の付勢力に抗して点火用カムを作動位置に保持すると共に点火位置からの所定角度の戻りにより点火用カムに対する係合を解除し点火用カムが作動位置から退避位置に移動することを許容する係合爪を回動操作軸に取り付け、前記点火用スイッチの作動位置では、点火用カムに形成された開口の一側辺に段部が形成され、該段部に係合爪が係合していることを特徴とする火力調節装置。
【発明の詳細な説明】
【０００１】
【発明の属する技術分野】
本発明は、回動操作軸を回動操作することによりガスバーナに対して点火及び火力調節を行う火力調節装置に関する。
【０００２】
【従来の技術】
ガスこんろに用いられるバーナとして、例えば大小２個の環状のバーナを同心状に配した親子バーナと呼ばれるものがある。該親子バーナでは両バーナの火力を１つの回動操作軸の回動角度により調節する場合がある。図５を参照して、バーナの近傍に取り付けられた熱電対からの熱起電力により開弁保持される安全弁を開弁状態に保持したまま点火操作をする必要があるため、回動操作軸に取り付けられた操作つまみＴを閉位置で紙面に対して直角方向に押し込む。回動操作軸は操作つまみＴと共に回動操作軸線に沿って押し込まれる。そのままの状態で点火位置まで左回りに回動する。回動操作軸には突片が形成されており、操作つまみＴを点火位置まで回動させると突片が点火用スイッチを回動操作軸線に平行の方向に押して点火用スイッチを作動させる。該点火位置まで操作つまみＴを回動すると親子バーナ共に強火状態になり両バーナに点火される。点火が確認されると操作つまみＴから手を離す。すると回動操作軸が紙面直角方向手前に戻りながらＩに示す位置まで所定角度逆転する。回動操作軸が紙面直角方向に戻ることにより突片が点火用スイッチから離れ火花放電は停止する。その後は操作つまみＴをＩの位置と閉位置との間で操作して両バーナの火力を連動して調節してもよく、あるいは更に左回りに回動してＩＩに示す位置まで回動し親バーナの火力のみを消火するまで減少させ、更にＩＩＩに示す位置まで回動させて残った小バーナを弱火になるまで調節するようにしてもよい。
【０００３】
【発明が解決しようとする課題】
上記従来の火力調節装置では回動操作軸を回動操作軸線に沿った方向に押し込むことにより突片が点火用スイッチを作動させ得る状態にしている。そのため、回動操作軸の押し込みが足りないと操作つまみＴを点火位置まで回動させても突片が点火用スイッチを十分に押せないため、点火用スイッチが作動しないおそれが生じる。尚、外周面にカム面を形成した点火用カムを回動操作軸に固定し、回動操作軸が点火位置まで回動された状態で点火用カムが点火用スイッチを回動操作軸線に対して直角方向に押して作動させるものが知られているが、このものでは回動操作軸が点火位置になると調理途中であっても必ず点火用スイッチがオンになり、特に火花放電の電源として乾電池を用いている場合には乾電池の消耗が増加し、点火位置より更に回動操作軸を追い込んで回動させるガス器具には適用できない。
【０００４】
そこで本発明は、上記の問題点に鑑み、点火位置より更に追い込み操作するガス器具に用いても確実に点火のできる火力調節装置を提供することを課題とする。
【０００５】
【課題を解決するための手段】
上記課題を解決するために本発明は、所定角度の火力調節範囲内で回動される火力調節用の回動操作軸を備え、該回動操作軸と共に回動する点火用カムの外周面に形成したカム面により該回動操作軸の火力調節範囲内の途中位置に設定した点火位置で点火用スイッチを回動操作軸の軸線に対して直角方向に押して作動させると共に、回動操作軸に対する操作力を点火位置で解除すると回動操作軸が所定角度自動的に戻る火力調節装置において、点火用カムを、点火用スイッチを作動させる作動位置と点火用スイッチを作動させない退避位置との間で移動自在に設けると共に点火用カムを退避位置に向かう方向に付勢する付勢手段を備え、回動操作軸が火力調節弁の閉位置から点火位置に回動する間点火用カムに係合し付勢手段の付勢力に抗して点火用カムを作動位置に保持すると共に点火位置からの所定角度の戻りにより点火用カムに対する係合を解除し点火用カムが作動位置から退避位置に移動することを許容する係合爪を回動操作軸に取り付け、前記点火用スイッチの作動位置では、点火用カムに形成された開口の一側辺に段部が形成され、該段部に係合爪が係合していることを特徴とする。
【０００６】
点火位置で点火用カムにより点火用スイッチが作動し、操作力を解除すると、回動操作軸が所定角度戻り点火用カムが退避位置に移動するので、再び回動操作軸を点火位置まで回動しても点火用スイッチが作動することはない。
【０００７】
【発明の実施の形態】
図１を参照して、１は点火用カムであり、回動操作軸２に取り付けられている。該回動操作軸２にはフランジ２０が突設されており、点火用カム１は該フランジ２０に対して下方から付勢力により押しつけられている。該点火用カム１には回動操作軸２が収まりカム面１４に至る細長い開口１１が形成されている。また、該開口１１の一側辺には段部１２が形成されている。一方、回動操作軸２には係合爪３が固定されている。該係合爪３の幅寸法は開口１１の幅寸法より若干狭く形成されており、かつ点火用カム１をカム面１４が回動操作軸２から遠ざかる方向にずらした際に段部１２内に係合するように突き出している。また、点火用カム１の上面には傾斜面を有する突起１３が形成されている。図１はカム面１４が点火用スイッチｓｗ１を押して作動させている状態を示しているが、該状態で、上記突起１３に係合して点火用カム１が閉位置方向へ戻ろうとする際の抵抗となる突起４が図外のブラケットに形成されている。また該ブラケットには板ばね５が取り付けられており、該板ばね５は点火用カム１を、カム面１４が回動操作軸２に近づく方向に付勢している。図１に示す状態では係合爪３が段部１２に係合しているので板ばね５の付勢力が作用しても点火用カム１は、カム面１４が回動操作軸２から遠い状態、即ち作動位置に保持される。ところが、回動操作軸２が図の矢印と反対方向である右回りに回ると係合爪３は回動操作軸２と共に回動するが点火用カム１は突起１３が突起４に係合して右回りに回れないため、係合爪３が開口１１内で移動して段部１２から外れる。板ばね５の付勢力が作用しているので係合爪３が段部１２から外れると点火用カム１は付勢力により、カム面１４が回動操作軸２に近づく状態、即ち退避位置に移動される。するとカム面１４は点火用スイッチｓｗ１に接触することがないので点火用スイッチｓｗ１を作動させることができなくなる。
【０００８】
図１は本発明の原理を説明するものであったが、実際のガス調節装置に組み込んだ状態を図２乃至図４を参照して説明する。尚、実際には該火力調節装置が作動していることを検知するための第２のスイッチｓｗ２が取り付けられており、スイッチｓｗ２は係合爪３を回動操作軸２に固定するための固定板３１に一体に形成された検知用カム３２によって作動される。また、回動操作軸２にはスプリング受け２１が取り付けられており、該スプリング受け２１の上部に縮設されたスプリング２２によって固定板３１及び点火用カム１をフランジ２０に付勢している。７は固定板であり、該固定板７に取り付けられた門形のブラケット７１の一部を下方に折り曲げて上記突起４が形成されている。また同じくブラケット７１の一部を折り曲げて形成した戻し突起６は回動操作軸２を閉位置に戻した際に点火用カム１に形成した戻しカム部１４ａと協働して点火用カム１を退避位置から作動位置へ復帰させるものである。図３（ａ）は回動操作軸２が閉位置にある状態を示しており、該状態から回動操作軸２を左回りに回すと、回動操作軸２と共に係合爪３が左回りに回動するが、点火用カム１は張り出し部１５が板ばね５により押されてそのまま回動しない。回動操作軸２を更に回動すると係合爪３が段部１２内に入り係合爪３が点火用カム１に接触して強制的に点火用カム１を回動させる。回動途中で板ばね５の付勢力が点火用カム１を退避位置に移動させる方向に作用しても係合爪３が段部１２に係合しているので点火用カム１は作動位置のまま回動し続ける。回動操作軸２が図３（ｂ）に示す点火位置まで回動されるとカム面１４が点火用スイッチｓｗ１を作動させ、図外のバーナとスパーカーとの間に火花放電が生じバーナが点火される。この時、突起４の下端は突起１３の斜面を乗り越えている。尚、点火用カム１はスプリング２２の付勢力だけで保持されているので突起４が突起１３を乗り越える際に点火用カム１が若干斜めに傾き、突起４はスムーズに突起１３を乗り越えることができる。点火が完了すると回動操作軸２は上述の通り所定角度右回りに戻る。すると、回動操作軸２と共に係合爪３は右回りに所定角度戻るが上述の通り点火用カム１は突起１３が突起４に係合するため右回りに戻ることができず、図４（ａ）に示すように係合爪３は段部１２から外れる。すると板ばね５の付勢力より点火用カム１は作動位置から退避位置へと移動される。一旦退避位置に移動するとカム面１４が点火用スイッチｓｗ１に接することはなく従って点火用スイッチｓｗ１を再び作動させることはない。点火用カム１が退避位置に移動した後は回動操作軸２を更に左回りに回動してもよく、あるいは右回りに戻して火力調節を行ってもよい。そして、調理が終了して回動操作軸２を閉位置に戻すと戻しカム部１４ａが戻し突起６に接触して点火用カム１を退避位置から作動位置へ戻し、図４（ｂ）に示す状態を経て上述の図３（ａ）に示す状態に戻る。
【０００９】
【発明の効果】
以上の説明から明らかなように、本発明は、外周面に形成したカム面で点火用スイッチを作動させるので点火用スイッチを確実に作動させることができ、かつ点火終了後は点火用カムを退避位置に移動させるので点火中は再び点火用スイッチが作動することがない。
【図面の簡単な説明】
【図１】本発明の機能を説明するためのモデル図
【図２】本発明の実施の形態を示す側面図
【図３】（ａ）閉位置での状態を示す図
（ｂ）点火位置での状態を示す図
【図４】（ａ）係合爪が段部から外れた状態を示す図
（ｂ）閉位置直前の状態を示す図
【図５】操作つまみの回動位置における火力を説明する図
【符号の説明】
１  点火用カム
２  回動操作軸
３  係合爪
５  板ばね
ｓｗ１  点火用スイッチ
【図１】
0003678934.tif 000002
【図２】
0003678934.tif 000003
【図３】
0003678934.tif 000004
【図４】
0003678934.tif 000005
【図５】
0003678934.tif 000006